(57)【特許請求の範囲】
【請求項１】
円筒体からなる周胴部とその上面に配設される頂面板とを一体としてアルミ等の軟質金属薄板によって形成した逆有底円筒状の口金であって、前記頂面板の中央部には透孔が穿設され、当該透孔の周囲には、当該透孔の外周から一定の距離を隔てた位置に溝が略全周に亘って一部を残すように穿設され、当該溝の両端部には該両端部からそれぞれ前記周胴部の下端部付近に至る切り裂き筋が刻設され、当該２本の切り裂き筋のいずれか一方の切り裂き筋の延長線と前記周胴部の下端部とが交差する位置の下側には折り曲げられることによって折曲片となる凸部が形成されていることを特徴とする瓶の口金。
【請求項２】
前記凸部が前記切り裂き筋方向に折り曲げられていることを特徴とする請求項１に記載の瓶の口金。
【請求項３】
請求項２に記載の瓶の口金が装着されていることを特徴とする瓶。
【請求項４】
前記瓶は薬用瓶であることを特徴とする請求項３に記載の瓶。
【発明の詳細な説明】
【０００１】
【発明の属する技術分野】
本発明は、瓶の蓋部に使用される瓶の口金に関するものである。
【０００２】
【従来の技術】
ゴム栓等によって閉塞されている瓶口に、逆有底円筒状の口金を冠着させ、その口金の周胴部を瓶口に対して巻き締めて構成する蓋部を有する瓶は広く知られている。
【０００３】
このような瓶に用いられる口金の頂面部には、通常、口金を剥離するための剥離環（タブ）が設けられている。そして、この剥離環（タブ）の両端部にはそれぞれ口金の周胴部に達する切り裂き筋が刻設されている。
【０００４】
瓶内の物質を使用する場合、使用者は、この剥離環（タブ）を引っ張って瓶口から口金全体を剥離し、ゴム栓等を外して内部の物質を使用している。
【０００５】
【発明が解決しようとする課題】
しかしながら、このような従来の瓶の口金においては、瓶口から口金を剥離する場合、図７に示したように剥離環（タブ）１５とそれに連なる２本の切り裂き筋に挟まれた周胴部の一部１１ａのみが、口金本体１の他の部分と離れて剥離してしまうことがあった。このようになったときには、使用者は瓶口に残っている口金本体１の残った部分を改めて取り除いた後に、ゴム栓等を外さなければならず、それだけ余分な手間をかけなければならなかった。
【０００６】
本発明の目的は、剥離環とそれに連なる周胴部の一部が、口金の他の部分から独立して分離しにくく、剥離環と共に口金全体を瓶口から確実に剥離することができる瓶の口金を提供することにある。
【０００７】
【課題を解決するための手段】
以上の目的を達成するために本発明は、円筒体からなる周胴部とその上面に配設される頂面板とを一体としてアルミ等の軟質金属薄板によって形成した逆有底円筒状の口金であって、前記頂面板の中央部には透孔が穿設され、当該透孔の周囲には、当該透孔の外周から一定の距離を隔てた位置に溝が略全周に亘って一部を残すように穿設され、当該溝の両端部には該両端部からそれぞれ前記周胴部の下端部付近に至る切り裂き筋が刻設され、当該２本の切り裂き筋のいずれか一方の切り裂き筋の延長線と前記周胴部の下端部とが交差する位置の下側には折り曲げられることによって折曲片となる凸部が形成されていることを特徴とするものである。
【０００８】
【発明の実施の形態】
以下、図面を参照して本発明の実施形態を説明する。
【０００９】
図１は本発明の一実施形態に係る口金を使用する蓋体の構成を示す分解斜視図であり、図２は図１に示した蓋体が装着された薬用瓶の断面図である。
【００１０】
この薬用瓶の蓋体は、図１に示すように、アルミ等の軟質金属薄板によって逆有底円筒状に形成した口金本体１と、前記口金本体１の頂面内側に嵌合させることができ、且つ、口金本体１と相似形状に形成した内蓋２と、前記口金本体１の頂面部を含む上半部に冠着させることのできる合成樹脂製の外蓋３の組み合わせによって構成されている。
【００１１】
口金本体１は、前述したようにアルミ等の軟質金属薄板によって逆有底円筒状に形成されており、図１に示すように、適宜の高さをした周胴部１１とその上面に配設される頂面板１２とが一体として形成されている。
【００１２】
１３は頂面板１２の中央部に穿設した透孔であり、図２に示すように、この透孔１３を通して薬用瓶４の瓶口に嵌装したゴム栓５の上面が露出できるようになっている。
【００１３】
１４は頂面板１２に穿設した透孔１３の周囲に形成された適宜の幅を持った溝であり、この溝１４の両端部が形成された頂面板１２から周胴部１１の上端部に達するように２本の切り裂き筋１６ａ，１６ｂを刻設することによって、この溝１４に囲まれる内側が引き起こし用の剥離環１５となるように構成されている。即ち、図１に示すように、透孔１３の周囲には、透孔１３の外周から一定の距離（剥離環１５の幅）を隔てた位置に、適宜の幅を持った溝１４が一部を残すように略全周に亘って穿設されており、この溝１４の両端部が形成された頂面板１２から周胴部１１の上端部に達するように２本の切り裂き筋１６ａ，１６ｂが刻設されている。この周胴部１１の上端部に達した切り裂き筋１６ａ，１６ｂは、図３（ａ）に示したように、周胴部１１内にさらに延長されて、その先端部は周胴部１１の下端部付近に位置している。１４ａは、薬用瓶４の瓶口から口金本体１を剥離する際、その剥離が容易に行なわれるように頂面板１２に設けられたスリットである。
【００１４】
内蓋２は、周胴部２１の上端に頂面板２２を連続されることによって逆有底円筒状に形成するものであり、口金本体１と相似形状をなし、これに嵌合することができる大きさとして形成するものである。この内蓋２は、本実施例では口金本体１と同質材のアルミ等の軟質金属薄板によって形成されているが、この内蓋２は合成樹脂によって形成してもよい。
【００１５】
前記した周胴部２１の高さは、図２に示すように、ゴム栓５のフランジ部の高さよりも低く形成してあり、使用時において前記したゴム栓５のフランジ部の周胴に密着できるようにしてある。
【００１６】
２３は内蓋２の頂面板２２に穿設した透孔であり、この透孔２３の大きさは、口金本体１の頂面板に穿設した透孔１３よりも小さい寸法となっている。これによって、外蓋３を剥離除去する際に内蓋２から外れる係止突起３９を口金本体１の透孔１３を通して上面に引き上げることができる（図２参照）。
【００１７】
口金本体１の上面に冠着する外蓋３は、適宜の硬度を有する合成樹脂を用いて形成するものであり周胴部が口金本体１の周胴部１１に少しだけかぶさることができる浅い倒皿状となるように形成されている。
【００１８】
外蓋３の裏面中央部には、図２に示すように、内蓋２に穿設した透孔２３の円周に当接しながら折り曲げ係止することのできる係止突起３９が突設されており、透孔２３に嵌合したのち、内蓋２の内側から折り曲げ加圧することにより、或いは同じく内側から加熱することにより押し広げられながら倒伏させられるように折り曲げ自在に突設されている。
【００１９】
図３（ａ）は、口金本体１を裏面側から視た斜視図である。図３（ａ）に示すように口金本体１の周胴部に刻設された２本の切り裂き筋１６ａ，１６ｂのうち、一方の切り裂き筋１６ａの延長線上に位置する周胴部１１の下端部、すなわち一方の切り裂き筋１６ａの延長線が周胴部１１の下端部と交差する位置の下側には、折り曲げられることによって折曲片となる凸部１７が形成されている。
【００２０】
この凸部１７は、蓋体全体を組み立てるときに、図３（ｂ）に示したように切り裂き筋１６ａの方向に折り曲げて折曲片とする。この折曲片によって、切り裂き筋１６ａの延長線上に位置する周胴部１１の下端部の強度を、切り裂き筋１６ｂの延長線上に位置する周胴部１１の下端部の強度よりも大きくすることができる。
【００２１】
以上のように構成された口金本体１，内蓋２および外蓋３からなる蓋体本体を組み立て、ゴム栓５が嵌合している薬用瓶４の瓶口部に冠着させ、口金本体の周胴部１１の下端部を巻締め機によって巻締め固定することにより、蓋体本体は薬用瓶に装着される。
【００２２】
図２に示したような構成の蓋体を有する薬用瓶においては、少量の薬液を使用するときは、外蓋３のみを除去しゴム栓５に注射針を挿通させて薬液を取り出し、大量の薬液を使用するときには、外蓋３を除去した後、剥離環１５を引っ張って口金本体１を除去し、ゴム栓５を外して内部の薬液を取り出す。
【００２３】
本実施形態においては、使用者が剥離環１５を引っ張る際に、２本の切り裂き筋１６ａ，１６ｂの延長線上の口金本体の下端部の強度が異なっているために、図４に示したように強度が弱い切り裂き筋１６ｂ側の口金が全て引き裂かれるときに切り裂き筋１６ａ側の口金が全て引き裂かれることはない。従って使用者が剥離環１５を引っ張れば、先ず切り裂き筋１６ｂ側の口金が切り裂かれ、次いで頂面板１２がスリット１４ａのところで割れて口金本体１は確実に薬用瓶４から除去される。
【００２４】
図５は、本実施形態に係る口金を使用する薬用瓶の蓋部の他の構成を示した断面図である。図５に示した蓋体は、図６に示したように口金本体１と、頂面板２２に透孔がなく瓶口に直接冠着する内蓋２との２体から構成されている。
【００２５】
このような構成の蓋体に使用される場合にも、本実施形態の有する効果は十分に発揮される。すなわち、本実施形態に係る口金は、どのような構成の蓋体に使用しても十分にその効果を発揮することができる。また、以上の説明においては本実施形態が装着される瓶を薬用瓶として説明したが、本実施形態が装着される瓶は薬用瓶に限られるものではない。
【００２６】
【発明の効果】
以上説明したように、本発明によれば、剥離環とそれに連なる周胴部の一部が、口金の他の部分から独立して分離しにくく、剥離環と共に口金全体を瓶口から確実に剥離することができる。
【図面の簡単な説明】
【図１】本発明の一実施形態を含む蓋体本体の構成を示す分解斜視図である。
【図２】図１に示した蓋体が装着された薬用瓶の断面図である。
【図３】本発明の一実施形態の裏面側から視た斜視図である。
【図４】本発明の一実施形態の動作の説明図である。
【図５】本発明の一実施形態を含む蓋体の他の構成を示す断面図である。
【図６】図５に示した蓋体の分解斜視図である。
【図７】従来の口金の説明図である。
【符号の説明】
１  口金本体
２  内蓋
３  外蓋
４  薬用瓶
５  ゴム栓
１１  周胴部
１２  頂面板
１３  透孔
１４  溝
１４ａ  スリット
１５  剥離環（タブ）
１６ａ，１６ｂ  切り裂き筋
１７  凸部
２１  周胴部
２２  頂面板
２３  透孔
３９  係止突起
【図１】
0004242933.tif 000002
【図２】
0004242933.tif 000003
【図３】
0004242933.tif 000004
【図４】
0004242933.tif 000005
【図５】
0004242933.tif 000006
【図６】
0004242933.tif 000007
【図７】
0004242933.tif 000008